(57)【要約】【課題】再生端末の利用者がプッシュ情報を取得する際の利便性が改善される情報プッシュ方法及び情報プッシュ装置を提供する。【解決手段】情報プッシュ方法及び情報プッシュ装置は、ライブストリーミング端末の利用者によって発行されたプッシュ情報のアクセスアドレスを再生端末のインターフェースに表示し、再生端末の利用者がアクセスアドレスをクリックすることでプッシュ情報を直接取得できる。【選択図】図１
2019530931.tif 000002
【特許請求の範囲】
【請求項１】
ライブストリーミング工程において、ライブストリーミング端末の利用者によって入力されたプッシュ情報識別子をライブストリーミング端末が受信することと、及び、
前記プッシュ情報識別子をライブストリーミングプラットフォームサーバに送信することとを含み、これによって、前記ライブストリーミングプラットフォームサーバは前記プッシュ情報識別子に基づいてプッシュ情報のアクセスアドレスを決定し、前記アクセスアドレスを提示のために再生端末にプッシュし、前記再生端末は、前記アクセスアドレスが再生端末の利用者によってトリガーされたことを検出すると、前記アクセスアドレスに対応するウェブページを表示することができる情報プッシュ方法。
【請求項２】
前記プッシュ情報識別子は特に前記プッシュ情報のラベルを備え、及び
前記ライブストリーミングプラットフォームサーバが前記プッシュ情報識別子に基づいてプッシュ情報のアクセスアドレスを決定するように、前記プッシュ情報識別子をライブストリーミングプラットフォームサーバに前記送信することは、
前記プッシュ情報の前記ラベルを前記ライブストリーミングプラットフォームサーバに送信することを特に含み、これによって、前記ライブストリーミングプラットフォームサーバは前記ラベルに基づいて前記ラベルに対応するアクセスアドレスを決定することができる請求項１に記載の方法。
【請求項３】
前記プッシュ情報識別子は特に前記プッシュ情報の前記アクセスアドレスを備え、及び
ライブストリーミング端末の利用者によって入力されたプッシュ情報識別子をライブストリーミング端末によって前記受信することは、
前記ライブストリーミング端末の利用者によって入力された前記プッシュ情報の前記アクセスアドレスを前記ライブストリーミング端末によって受信すること、又は、
前記ライブストリーミング端末の利用者によって入力された前記プッシュ情報のラベルを前記ライブストリーミング端末によって受信し、前記ラベルを前記ライブストリーミングプラットフォームサーバに送信し、前記ライブストリーミングプラットフォームサーバによって戻された、前記ラベルに対応するアクセスアドレスを受信、提示し、及び、前記提示されたアクセスアドレスから前記利用者によって選択されたアクセスアドレスを、前記ライブストリーミング端末の利用者によって入力された前記プッシュ情報識別子として決定することを特に含む請求項１に記載の方法。
【請求項４】
ライブストリーミング端末の利用者によって入力されたプッシュ情報識別子をライブストリーミング端末によって前記受信することは、
前記ライブストリーミング端末の利用者によって送信されたプッシュ情報提示命令を前記ライブストリーミング端末によって受信することと、
前記プッシュ情報提示命令に従って、ローカルで予め保存された、前記ライブストリーミングプラットフォームサーバに保存された、又は第３者サーバに保存されたプッシュ情報識別子を取得、提示することと、及び
前記提示されたプッシュ情報識別子から前記ライブストリーミング端末の利用者によって選択されたプッシュ情報識別子を決定することとを特に含む請求項１に記載の方法。
【請求項５】
ライブストリーミング工程において、ライブストリーミング端末によって送信されたプッシュ情報識別子をライブストリーミングプラットフォームサーバが受信することと、
前記プッシュ情報識別子に基づいて、プッシュ情報のアクセスアドレスを決定することと、及び
前記アクセスアドレスを提示のために再生端末にプッシュすることとを含み、これによって、前記再生端末が、前記アクセスアドレスが再生端末の利用者によってトリガーされたことを検出すると、前記アクセスアドレスに対応するウェブページを表示することができる情報プッシュ方法。
【請求項６】
前記プッシュ情報識別子は特に前記プッシュ情報のラベルを備え、及び、
前記プッシュ情報識別子に基づいて、プッシュ情報のアクセスアドレスを前記決定することは、
前記受信したプッシュ情報のラベル及びラベルとアクセスアドレスとの予め設定された対応に基づき、前記受信したラベルに対応するアクセスアドレスを決定することを特に含む請求項５に記載の方法。
【請求項７】
前記プッシュ情報識別子は特に前記プッシュ情報の前記アクセスアドレスを備え、
ライブストリーミング端末によって送信されたプッシュ情報識別子の前記受信前に、前記方法は、
前記ライブストリーミング端末によって送信された前記プッシュ情報のラベルを受信することと、及び
前記ラベルに対応するアクセスアドレスを前記ライブストリーミング端末に提示のために戻すこととを更に含み、及び、
ライブストリーミング端末によって送信されたプッシュ情報識別子を前記受信することは、
前記ライブストリーミング端末によって送信され、前記提示されたアクセスアドレスからライブストリーミング端末の利用者によって選択されたアクセスアドレスを、前記受信したプッシュ情報識別子として受信することを特に含む請求項５に記載の方法。
【請求項８】
前記方法は、
前記再生端末によって送信されたアクセス通知を受信すると、前記アクセス通知に含まれたライブストリーミング端末の利用者の識別子及び前記プッシュ情報のアクセスアドレスに基づいて、前記ライブストリーミング端末の利用者の識別子と前記プッシュ情報の前記アクセスアドレスとの関連を記録することを更に含み、前記アクセス通知が送信されるのは、前記再生端末が、前記アクセスアドレスが前記再生端末の利用者によってトリガーされたことを検出したときである請求項５に記載の方法。
【請求項９】
ライブストリーミング工程において、ライブストリーミングプラットフォームサーバによって送信されたプッシュ情報のアクセスアドレスを再生端末によって受信することと、
前記受信したアクセスアドレスを提示することと、及び、
前記アクセスアドレスが再生端末の利用者によってトリガーされたのを検出すると、前記アクセスアドレスに対応するウェブページを表示することとを含む情報プッシュ方法。
【請求項１０】
前記受信したアクセスアドレスを前記提示することは、
ライブストリーミングインターフェースの再生領域において、前記再生領域とは独立した視聴レイヤーを構築することと、及び、
前記視聴レイヤーに前記受信したアクセスアドレスを提示することとを特に含む請求項９に記載の方法。
【請求項１１】
前記アクセスアドレスが前記再生端末の利用者によってトリガーされたのを検出する際に、前記方法は、
前記ライブストリーミング工程に対応するライブストリーミング端末の利用者の識別子を決定することと、及び、
前記ライブストリーミング端末の利用者の識別子と前記プッシュ情報の前記アクセスアドレスとを含むアクセス通知を前記ライブストリーミングプラットフォームサーバに送信することとを更に含み、これによって、前記ライブストリーミングプラットフォームサーバは前記ライブストリーミング端末の利用者の識別子と前記プッシュ情報の前記アクセスアドレスとの関連を記録することができる請求項９に記載の方法。
【請求項１２】
ライブストリーミング工程において、ライブストリーミング端末の利用者によって入力された製品識別子をライブストリーミング端末によって受信することと、及び
前記製品識別子をライブストリーミングプラットフォームサーバに送信することとを含み、これによって、前記ライブストリーミングプラットフォームサーバは前記製品識別子に基づいて製品の購入アドレスを決定し、前記購入アドレスを提示のために再生端末にプッシュし、前記再生端末は、前記購入アドレスが再生端末の利用者によってトリガーされたことを検出すると、前記購入アドレスに対応するウェブページを表示することができる情報プッシュ方法。
【請求項１３】
前記製品識別子は特に前記製品のラベルを備え、及び
前記ライブストリーミングプラットフォームサーバが前記製品識別子に基づいて製品の購入アドレスを決定するように、前記製品識別子をライブストリーミングプラットフォームサーバに前記送信することは、
前記製品の前記ラベルを前記ライブストリーミングプラットフォームサーバに送信することを特に含み、これによって、前記ライブストリーミングプラットフォームサーバは前記ラベルに基づいて、前記ラベルに対応する購入アドレスを決定することができる請求項１２に記載の方法。
【請求項１４】
前記製品識別子は特に前記製品の前記購入アドレスを備え、及び、
ライブストリーミング端末の利用者によって入力された製品識別子を、ライブストリーミング端末によって前記受信することは、
前記ライブストリーミング端末の利用者によって入力された前記製品の前記購入アドレスを前記ライブストリーミング端末によって受信すること、又は
前記ライブストリーミング端末の利用者によって入力された前記製品のラベルを前記ライブストリーミング端末によって受信し、前記ラベルを前記ライブストリーミングプラットフォームサーバに送信し、前記ライブストリーミングプラットフォームサーバによって戻された、前記ラベルに対応する購入アドレスを受信、提示し、及び、前記提示されたアクセスアドレスから前記利用者によって選択された購入アドレスを、前記ライブストリーミング端末の利用者によって入力された前記製品識別子として決定することを特に含む請求項１２に記載の方法。
【請求項１５】
ライブストリーミング端末の利用者によって入力された製品識別子をライブストリーミング端末によって前記受信することは、
前記ライブストリーミング端末の利用者によって送信された製品提示命令を前記ライブストリーミング端末によって受信することと、
前記製品提示命令に従って、ローカルで予め保存された、前記ライブストリーミングプラットフォームサーバに保存された、又は第３者サーバに保存された製品識別子を取得し、前記製品識別子を提示することと、及び、
前記提示された製品識別子から前記ライブストリーミング端末の利用者によって選択された製品識別子を決定することとを特に含む請求項１２に記載の方法。
【請求項１６】
ライブストリーミング工程において、ライブストリーミング端末によって送信された製品識別子をライブストリーミングプラットフォームサーバによって受信することと、
前記製品識別子に基づいて、製品の購入アドレスを決定することと、及び、
前記購入アドレスを提示のため再生端末にプッシュすることとを含み、これによって、前記再生端末は、前記購入アドレスが再生端末の利用者によってトリガーされたことを検出すると、前記購入アドレスに対応するウェブページを表示することができる、情報プッシュ方法。
【請求項１７】
前記製品識別子は特に前記製品のラベルを備え、及び、
前記製品識別子に基づいて製品の購入アドレスを前記決定することは、
前記受信した製品のラベル及びラベルとアクセスアドレスとの予め設定された対応に基づいて、前記受信したラベルに対応する購入アドレスを決定することを特に含む請求項１６に記載の方法。
【請求項１８】
前記製品識別子は特に前記製品の前記購入アドレスを備え、
ライブストリーミング端末によって送信された製品識別子の前記受信前に、前記方法は、
前記ライブストリーミング端末によって送信された前記製品のラベルを受信することと、及び、
前記ラベルに対応する購入アドレスを前記ライブストリーミング端末に提示のために戻すこととを更に含み、及び、
ライブストリーミング端末によって送信された製品識別子を前記受信することは、
前記ライブストリーミング端末によって送信され、前記提示された購入アドレスからライブストリーミング端末の利用者によって選択された購入アドレスを、前記受信された製品識別子として受信することを特に含む請求項１６に記載の方法。
【請求項１９】
前記方法は、
前記再生端末によって送信されたアクセス通知を受信すると、前記アクセス通知に含まれたライブストリーミング端末の利用者の識別子及び前記製品の購入アドレスに基づいて、前記ライブストリーミング端末の利用者の識別子と前記製品の前記購入アドレスとの関連を記録することを更に含み、前記アクセス通知が送信されるのは、前記再生端末が、前記購入アドレスが前記再生端末の利用者によってトリガーされたことを検出したときである請求項１６に記載の方法。
【請求項２０】
前記方法は、
前記再生端末によって送信された支払い通知を受信すると、前記支払い通知に含まれたライブストリーミング端末の利用者の識別子及び前記製品の購入アドレスに基づいて、前記ライブストリーミング端末の利用者の識別子と前記製品の前記購入アドレスとの関連を記録すること更に含み、前記支払い通知が送信されるのは、前記再生端末が前記再生端末の利用者の支払いを検出した後である請求項１６に記載の方法。
【請求項２１】
ライブストリーミング工程において、ライブストリーミングプラットフォームサーバによって送信された製品の購入アドレスを再生端末によって受信することと、
前記受信した購入アドレスを提示することと、及び、
前記購入アドレスが再生端末の利用者によってトリガーされたことを検出すると、前記購入アドレスに対応するウェブページを表示することとを含む情報プッシュ方法。
【請求項２２】
前記受信した購入アドレスを前記提示することは、
ライブストリーミングインターフェースの再生領域に、前記再生領域とは独立した視聴レイヤーを構築することと、及び、
前記視聴レイヤーに前記受信した購入アドレスを提示することとを特に含む請求項２１に記載の方法。
【請求項２３】
前記購入アドレスが前記再生端末の利用者によってトリガーされたのを検出する際に、前記方法は、
前記ライブストリーミング工程に対応するライブストリーミング端末の利用者の識別子を決定することと、及び、
前記ライブストリーミング端末の利用者の識別子と前記製品の前記購入アドレスとを含むアクセス通知を前記ライブストリーミングプラットフォームサーバに送信することとを更に含み、これによって、前記ライブストリーミングプラットフォームサーバは前記ライブストリーミング端末の利用者の識別子と前記製品の前記購入アドレスとの関連を記録することができる請求項２１に記載の方法。
【請求項２４】
前記購入アドレスに対応する前記ウェブページは、製品詳細のインターフェース又は前記製品の支払いウェブページを特に備える請求項２１に記載の方法。
【請求項２５】
前記購入アドレスに対応するウェブページの前記表示の後に、前記方法は、
前記再生端末の利用者が前記表示されたウェブページを用いて支払いを行ったことを検出した後で、前記ライブストリーミングプラットフォームサーバに対して、ライブストリーミング端末の利用者の識別子と前記製品の購入アドレスとを含む支払い通知を送信することを更に含み、これによって、前記ライブストリーミングプラットフォームサーバが前記ライブストリーミング端末の利用者の識別子と前記製品の前記購入アドレスとのトランザクション関連を記録することができる請求項２４に記載の方法。
【請求項２６】
ライブストリーミング工程において、ライブストリーミング端末の利用者によって入力されたプッシュ情報識別子を受信するよう構成された受信モジュールと、及び、
前記プッシュ情報識別子をライブストリーミングプラットフォームサーバに送信するように構成された送信モジュールとを備え、これによって、前記ライブストリーミングプラットフォームサーバは前記プッシュ情報識別子に基づいてプッシュ情報のアクセスアドレスを決定し、前記アクセスアドレスを提示のために再生端末にプッシュし、前記再生端末は、前記アクセスアドレスが再生端末の利用者によってトリガーされたことを検出すると、前記アクセスアドレスに対応するウェブページを表示することができる情報プッシュ装置。
【請求項２７】
前記プッシュ情報識別子は特に前記プッシュ情報のラベルを備え、及び、
前記送信モジュールは、前記プッシュ情報の前記ラベルを前記ライブストリーミングプラットフォームサーバに送信するよう構成され、これによって、前記ライブストリーミングプラットフォームサーバは前記ラベルに基づいて前記ラベルに対応するアクセスアドレスを決定することができる請求項２６に記載の装置。
【請求項２８】
前記プッシュ情報識別子は特に前記プッシュ情報の前記アクセスアドレスを備え、及び、
前記受信モジュールは、前記ライブストリーミング端末の利用者によって入力された前記プッシュ情報の前記アクセスアドレスを受信するよう構成される、又は、前記ライブストリーミング端末の利用者によって入力された前記プッシュ情報のラベルを受信し、前記ラベルを前記ライブストリーミングプラットフォームサーバに送信し、前記ライブストリーミングプラットフォームサーバによって戻された、前記ラベルに対応するアクセスアドレスを受信、提示し、及び、前記提示されたアクセスアドレスから前記利用者によって選択されたアクセスアドレスを、前記ライブストリーミング端末の利用者によって入力された前記プッシュ情報識別子として決定するよう構成される請求項２６に記載の装置。
【請求項２９】
前記受信モジュールは、前記ライブストリーミング端末の利用者によって送信されたプッシュ情報提示命令を受信し、前記プッシュ情報提示命令に従って、ローカルで予め保存された、前記ライブストリーミングプラットフォームサーバに保存された、又は第３者サーバに保存されたプッシュ情報識別子を取得、提示し、及び、前記提示されたプッシュ情報識別子から前記ライブストリーミング端末の利用者によって選択されたプッシュ情報識別子を決定するよう構成された請求項２６に記載の装置。
【請求項３０】
ライブストリーミング工程において、ライブストリーミング端末によって送信されたプッシュ情報識別子を受信するよう構成された受信モジュールと、
前記プッシュ情報識別子に基づいて、プッシュ情報のアクセスアドレスを決定するよう構成された決定モジュールと、及び、
前記アクセスアドレスを再生端末に提示のためにプッシュするよう構成されたプッシュモジュールとを備え、これによって、前記再生端末は、前記アクセスアドレスが再生端末の利用者によってトリガーされたことを検出すると、前記アクセスアドレスに対応するウェブページを表示することができる情報プッシュ装置。
【請求項３１】
前記プッシュ情報識別子はプッシュ情報のラベルを特に備え、及び
前記決定モジュールは、前記受信したプッシュ情報のラベル及びラベルとアクセスアドレスとの予め設定された対応に基づき、前記受信したラベルに対応するアクセスアドレスを決定するよう構成された請求項３０に記載の装置。
【請求項３２】
前記プッシュ情報識別子は特に前記プッシュ情報の前記アクセスアドレスを備え、
前記装置は、
前記受信モジュールが前記ライブストリーミング端末によって送信された前記プッシュ情報識別子を受信する前に、前記ライブストリーミング端末によって送信された前記プッシュ情報のラベルを受信し、前記ラベルに対応するアクセスアドレスを前記ライブストリーミング端末に提示のために戻すよう構成された選択モジュールを更に備え、及び、
前記受信モジュールは、前記ライブストリーミング端末によって送信され、前記提示されたアクセスアドレスからライブストリーミング端末の利用者によって選択されたアクセスアドレスを、前記受信したプッシュ情報識別子として受信するよう更に構成された請求項３０に記載の装置。
【請求項３３】
前記装置は、
前記再生端末によって送信されたアクセス通知を受信すると、前記アクセス通知に含まれたライブストリーミング端末の利用者の識別子及び前記プッシュ情報のアクセスアドレスに基づいて、前記ライブストリーミング端末の利用者の識別子と前記プッシュ情報の前記アクセスアドレスとの関連を記録するよう構成されたアクセス記録モジュールを更に備え、前記アクセス通知が送信されるのは、前記再生端末が、前記アクセスアドレスが前記再生端末の利用者によってトリガーされたことを検出したときである請求項３０に記載の装置。
【請求項３４】
ライブストリーミング工程において、ライブストリーミングプラットフォームサーバによって送信されたプッシュ情報のアクセスアドレスを受信するよう構成された受信モジュールと、
前記受信したアクセスアドレスを提示するよう構成された提示モジュールと、及び、
前記アクセスアドレスが再生端末の利用者によってトリガーされたのを検出すると、前記アクセスアドレスに対応するウェブページを表示するように構成された表示モジュールとを備える、情報プッシュ装置。
【請求項３５】
前記提示モジュールは、ライブストリーミングインターフェースの再生領域に、前記再生領域とは独立した視聴レイヤーを構築し、前記視聴レイヤーに前記受信したアクセスアドレスを提示するよう構成された請求項３４に記載の装置。
【請求項３６】
前記装置は、
前記アクセスアドレスが前記再生端末の利用者によってトリガーされたことを検出すると、前記ライブストリーミング工程に対応するライブストリーミング端末の利用者の識別子を決定し、前記ライブストリーミング端末の利用者の識別子と前記プッシュ情報の前記アクセスアドレスとを含むアクセス通知を前記ライブストリーミングプラットフォームサーバに送信するよう構成されたアクセス通知モジュールを更に備え、これによって、前記ライブストリーミングプラットフォームサーバは前記ライブストリーミング端末の利用者の識別子と前記プッシュ情報の前記アクセスアドレスとの関連を記録することができる請求項３４に記載の装置。
【請求項３７】
ライブストリーミング工程において、ライブストリーミング端末の利用者によって入力された製品識別子を受信するよう構成された受信モジュールと、及び
前記製品識別子をライブストリーミングプラットフォームサーバに送信するよう構成された送信モジュールとを備え、これによって、前記ライブストリーミングプラットフォームサーバは前記製品識別子に基づいて製品の購入アドレスを決定し、前記購入アドレスを提示のために再生端末にプッシュし、前記再生端末は、前記購入アドレスが再生端末の利用者によってトリガーされたことを検出すると、前記購入アドレスに対応するウェブページを表示できる情報プッシュ装置。
【請求項３８】
前記製品識別子は特に前記製品のラベルを備え、及び
前記送信モジュールは、
前記製品の前記ラベルを前記ライブストリーミングプラットフォームサーバに送信することを特に含み、これによって、前記ライブストリーミングプラットフォームサーバは前記ラベルに基づいて前記ラベルに対応する購入アドレスを決定できる、請求項３７に記載の装置。
【請求項３９】
前記製品識別子は特に前記製品の前記購入アドレスを備え、及び、
前記受信モジュールは、前記ライブストリーミング端末の利用者によって入力された前記製品の前記購入アドレスを受信するよう構成され、又は、前記ライブストリーミング端末の利用者によって入力された前記製品のラベルを受信し、前記ラベルを前記ライブストリーミングプラットフォームサーバに送信し、前記ライブストリーミングプラットフォームサーバによって戻された、前記ラベルに対応する購入アドレスを受信、提示し、及び、前記提示されたアクセスアドレスから前記利用者によって選択された購入アドレスを、前記ライブストリーミング端末の利用者によって入力された前記製品識別子として決定するよう構成された請求項３７に記載の装置。
【請求項４０】
前記受信モジュールは、
前記ライブストリーミング端末の利用者によって送信された製品提示命令を受信し、
前記製品提示命令に従って、ローカルで予め保存された、前記ライブストリーミングプラットフォームサーバに保存された、又は第３者サーバに保存された製品識別子を取得し、前記製品識別子を提示し、及び、
前記提示された製品識別子から前記ライブストリーミング端末の利用者によって選択された製品識別子を決定するよう構成された請求項３７に記載の装置。
【請求項４１】
ライブストリーミング工程において、ライブストリーミング端末によって送信された製品識別子を受信するよう構成された受信モジュールと、
前記製品識別子に基づいて、製品の購入アドレスを決定するよう構成された決定モジュールと、及び、
前記購入アドレスを提示のため再生端末にプッシュするよう構成されたプッシュモジュールとを備え、これによって、前記再生端末が、前記購入アドレスが再生端末の利用者によってトリガーされたことを検出すると、前記購入アドレスに対応するウェブページを表示することができる情報プッシュ装置。
【請求項４２】
前記製品識別子は特に前記製品のラベルを備え、及び、
前記決定モジュールは、前記受信した製品のラベル及びラベルとアクセスアドレスとの予め設定された対応に基づいて、前記受信したラベルに対応する購入アドレスを決定するよう構成された請求項４１に記載の装置。
【請求項４３】
前記製品識別子は特に前記製品の前記購入アドレスを備え、
前記装置は、
前記受信モジュールが前記ライブストリーミング端末によって送信された前記製品識別子を受信する前に、前記ライブストリーミング端末によって送信された前記製品のラベルを受信し、前記ラベルに対応する購入アドレスを前記ライブストリーミング端末に提示のために戻すよう構成された選択モジュールを更に備え、及び、
前記受信モジュールは、前記ライブストリーミング端末によって送信され、前記提示された購入アドレスからライブストリーミング端末の利用者によって選択された購入アドレスを、前記受信された製品識別子として受信するよう構成された請求項４１に記載の装置。
【請求項４４】
前記装置は、前記再生端末によって送信されたアクセス通知を受信すると、前記アクセス通知に含まれたライブストリーミング端末の利用者の識別子及び前記製品の購入アドレスに基づいて、前記ライブストリーミング端末の利用者の識別子と前記製品の前記購入アドレスとの関連を記録するよう構成されたアクセス記録モジュールを更に備え、前記アクセス通知が送信されるのは、前記再生端末が、前記購入アドレスが前記再生端末の利用者によってトリガーされたことを検出したときである請求項４１に記載の装置。
【請求項４５】
前記装置は、
前記再生端末によって送信された支払い通知を受信すると、前記支払い通知に含まれたライブストリーミング端末の利用者の識別子及び前記製品の購入アドレスに基づいて、前記ライブストリーミング端末の利用者の識別子と前記製品の前記購入アドレスとのトランザクション関連を記録するよう構成されたトランザクション記録モジュールを更に備え、前記支払い通知が送信されるのは、前記再生端末が前記再生端末の利用者の支払いを検出した後である請求項４１に記載の装置。
【請求項４６】
ライブストリーミング工程において、ライブストリーミングプラットフォームサーバによって送信された製品の購入アドレスを受信するよう構成された受信モジュールと、
前記受信した購入アドレスを提示するよう構成された提示モジュールと、及び、
前記購入アドレスが再生端末の利用者によってトリガーされたことを検出すると、前記購入アドレスに対応するウェブページを表示するよう構成された表示モジュールとを備える、情報プッシュ装置。
【請求項４７】
前記提示モジュールは、ライブストリーミングインターフェースの再生領域に、前記再生領域とは独立した視聴レイヤーを構築し、前記視聴レイヤーに前記受信した購入アドレスを提示するよう構成された請求項４６に記載の装置。
【請求項４８】
前記装置は、
前記購入アドレスが前記再生端末の利用者によってトリガーされたのを検出すると、前記ライブストリーミング工程に対応するライブストリーミング端末の利用者の識別子を決定し、前記ライブストリーミング端末の利用者の識別子と前記製品の前記購入アドレスとを含むアクセス通知を前記ライブストリーミングプラットフォームサーバに送信するよう構成されたアクセス通知モジュールを更に備え、これによって、前記ライブストリーミングプラットフォームサーバは、前記ライブストリーミング端末の利用者の識別子と前記製品の前記購入アドレスとの関連を記録することができる請求項４６に記載の装置。
【請求項４９】
前記購入アドレスに対応する前記ウェブページは、お勧め製品の詳細のインターフェース又は前記お勧め製品の支払いウェブページを特に備える請求項４６に記載の装置。
【請求項５０】
前記装置は、前記表示モジュールが前記購入アドレスに対応する前記ウェブページを表示した後、そして、前記再生端末の利用者が支払いを行った後で、前記ライブストリーミングプラットフォームサーバに対して、ライブストリーミング端末の利用者の識別子と前記製品の前記購入アドレスとを含む支払い通知を送信するよう構成された支払い通知モジュールを更に備え、これによって、前記ライブストリーミングプラットフォームサーバは前記ライブストリーミング端末の利用者の識別子と前記製品の前記購入アドレスとの関連を記録することができる請求項４９に記載の装置。
【発明の詳細な説明】
【技術分野】
【０００１】
本願は情報技術の分野に関し、特に、情報プッシュ方法及び情報プッシュ装置に関する。
【背景技術】
【０００２】
現在のインターネットの時代に、ライブストリーミングプラットフォームを介して配信者の日常生活のライブストリーミングを視聴するのが、新しい大衆娯楽の慣習となっている。多くの配信者は、何らかの役に立つ情報又は便利な製品、例えば、おしゃれな服、面白い小説、楽しいミニブログ、耐久性のある家電製品などを、ライブストリーミングを通して再生端末の利用者に提示し、勧めている（ｒｅｃｏｍｍｅｎｄ）。
【０００３】
ところが、従来のライブストリーミングプラットフォームでは、再生端末の利用者がライブストリーミングの視聴途中にお勧め情報のあるウェブページに直接アクセスすることがサポートできていない。再生端末の利用者は、お勧め情報の特徴を記録しておき、その後ネットワーク上又はオフラインでその情報を探さねばならず、時間と労力が費やされる。加えて、ライブストリーミング動画は後から再生できないため、再生端末の利用者はお勧め情報の特徴を正確に記録できないことが多く、再生端末の利用者が取得した情報がお勧め情報と整合しないことも多い。
【０００４】
従来技術の情報プッシュ方法は、再生端末の利用者にとって比較的不便であると言える。
【発明の概要】
【０００５】
従来の情報プッシュ方法が再生端末の利用者にとって比較的不便であるという課題を解決するため、本願の実施形態は情報プッシュ方法及び情報プッシュ装置を提供する。
【０００６】
本願の実施形態によって提供された情報プッシュ方法は、ライブストリーミング工程において、ライブストリーミング端末の利用者によって入力されたプッシュ情報識別子をライブストリーミング端末が受信することと、及び、プッシュ情報識別子をライブストリーミングプラットフォームサーバに送信することとを含む。これによって、ライブストリーミングプラットフォームサーバはプッシュ情報識別子に基づいてプッシュ情報のアクセスアドレスを決定し、アクセスアドレスを提示のために再生端末にプッシュし、再生端末は、アクセスアドレスが再生端末の利用者によってトリガーされたことを検出すると、アクセスアドレスに対応するウェブページを表示することができる。
【０００７】
本願の実施形態によって提供された情報プッシュ方法は、ライブストリーミング工程において、ライブストリーミング端末によって送信されたプッシュ情報識別子をライブストリーミングプラットフォームサーバが受信することと、プッシュ情報識別子に基づいて、プッシュ情報のアクセスアドレスを決定することと、及び、アクセスアドレスを提示のために再生端末にプッシュすることとを含む。これによって、再生端末は、アクセスアドレスが再生端末の利用者によってトリガーされたことを検出すると、アクセスアドレスに対応するウェブページを表示することができる。
【０００８】
本願の実施形態によって提供された情報プッシュ方法は、ライブストリーミング工程において、ライブストリーミングプラットフォームサーバによって送信されたプッシュ情報のアクセスアドレスを再生端末によって受信することと、受信したアクセスアドレスを提示することと、及び、アクセスアドレスが再生端末の利用者によってトリガーされたのを検出すると、アクセスアドレスに対応するウェブページを表示することとを含む。
【０００９】
本願の実施形態によって提供された情報プッシュ方法は、ライブストリーミング工程において、ライブストリーミング端末の利用者によって入力された製品識別子をライブストリーミング端末によって受信することと、及び、製品識別子をライブストリーミングプラットフォームサーバに送信することとを含む。これによって、ライブストリーミングプラットフォームサーバは製品識別子に基づいて製品の購入アドレスを決定し、購入アドレスを提示のために再生端末にプッシュし、再生端末は、購入アドレスが再生端末の利用者によってトリガーされたことを検出すると、購入アドレスに対応するウェブページを表示することができる。
【００１０】
本願の実施形態によって提供された情報プッシュ方法は、ライブストリーミング工程において、ライブストリーミング端末によって送信された製品識別子をライブストリーミングプラットフォームサーバによって受信することと、製品識別子に基づいて、製品の購入アドレスを決定することと、及び、購入アドレスを提示のため再生端末にプッシュすることとを含む。これによって、再生端末は、購入アドレスが再生端末の利用者によってトリガーされたことを検出すると、購入アドレスに対応するウェブページを表示することができる。
【００１１】
本願の実施形態によって提供された情報プッシュ方法は、ライブストリーミング工程において、ライブストリーミングプラットフォームサーバによって送信された製品の購入アドレスを再生端末によって受信することと、受信した購入アドレスを提示することと、及び、購入アドレスが再生端末の利用者によってトリガーされたことを検出すると、購入アドレスに対応するウェブページを表示することとを含む。
【００１２】
本願の実施形態によって提供された情報プッシュ装置は、ライブストリーミング工程において、ライブストリーミング端末の利用者によって入力されたプッシュ情報識別子を受信するよう構成された受信モジュールと、及び、プッシュ情報識別子をライブストリーミングプラットフォームサーバに送信するよう構成された送信モジュールとを含む。これによって、ライブストリーミングプラットフォームサーバはプッシュ情報識別子に基づいてプッシュ情報のアクセスアドレスを決定し、アクセスアドレスを提示のために再生端末にプッシュし、再生端末は、アクセスアドレスが再生端末の利用者によってトリガーされたことを検出すると、アクセスアドレスに対応するウェブページを表示することができる。
【００１３】
本願の実施形態によって提供された情報プッシュ装置は、ライブストリーミング工程において、ライブストリーミング端末によって送信されたプッシュ情報識別子を受信するよう構成された受信モジュールと、プッシュ情報識別子に基づいて、プッシュ情報のアクセスアドレスを決定するよう構成された決定モジュールと、及び、アクセスアドレスを再生端末に提示のためにプッシュするよう構成されたプッシュモジュールとを含む。これによって、再生端末は、アクセスアドレスが再生端末の利用者によってトリガーされたことを検出すると、アクセスアドレスに対応するウェブページを表示することができる。
【００１４】
本願の実施形態によって提供された情報プッシュ装置は、ライブストリーミング工程において、ライブストリーミングプラットフォームサーバによって送信されたプッシュ情報のアクセスアドレスを受信するよう構成された受信モジュールと、受信したアクセスアドレスを提示するよう構成された提示モジュールと、及び、アクセスアドレスが再生端末の利用者によってトリガーされたのを検出すると、アクセスアドレスに対応するウェブページを表示するように構成された表示モジュールとを備える。
【００１５】
本願の実施形態で用いた少なくとも一つの上述した技術的解決策は、以下の有益な効果を達成することができる。
【００１６】
ライブストリーミング端末の利用者によって発行されたプッシュ情報のアクセスアドレスは、再生端末のインターフェースに表示され、再生端末の利用者は、アクセスアドレスをクリックすることでプッシュ情報を直接取得できる。これにより、再生端末の利用者がプッシュ情報を取得する際の利便性が改善される。
【００１７】
本明細書中の添付図面は、本願の更なる理解を提供するのに用いられ、本願の一部を構成する。本願の好ましい実施形態及びその記載は、本願の説明に用いられ、本願に対して何らの不適切な限定を構成しない。添付図面は以下の通りである。
【図面の簡単な説明】
【００１８】
【図１】本願の実施形態に係わる情報プッシュ方法のフロー図。
【図２】本願の実施形態に係わるプッシュ情報を表す画像リンクの概略図。
【図３】本願の実施形態に係わる別の情報プッシュ方法のフロー図。
【図４】本願の実施形態に係わる情報プッシュ装置の概略図。
【図５】本願の実施形態に係わる情報プッシュ装置の概略図。
【図６】本願の実施形態に係わる情報プッシュ装置の概略図。
【図７】本願の実施形態に係わる情報プッシュ装置の概略図。
【図８】本願の実施形態に係わる情報プッシュ装置の概略図。
【図９】本願の実施形態に係わる情報プッシュ装置の概略図。
【発明を実施するための形態】
【００１９】
本願の目的、技術的解決法及び利点を明確にするため、本願の具体的な実施形態及び対応する添付図面を参照して、以下に本願の技術的解決法を明確且つ完全に記載する。当然のことながら、記載された実施形態は、本願の全ての実施形態を網羅するものではなく、一部のみの実施形態である。当業者により本願の実施形態に基づいて創造的努力を伴わずに取得されたその他全ての実施形態は、本願の保護範囲内にある。
【００２０】
以下に、添付図面を参照して、本願の実施形態に提供された技術的解決策を詳細に記載する。
【００２１】
図１は、本願の実施形態に係わる情報プッシュ方法のフロー図である。本方法は、以下のステップを含む。
【００２２】
Ｓ１０１：ライブストリーミング工程では、ライブストリーミング端末がライブストリーミング端末の利用者によって入力されたプッシュ情報識別子を受信し、プッシュ情報識別子をライブストリーミングプラットフォームサーバに送信する。
【００２３】
本願の本実施形態のアプリケーションシナリオでは、ネットワークライブストリーミング工程において、ライブストリーミング端末の利用者が、ライブストリーミング端末装置にインストールされたネットワークライブストリーミングソフトウェア（以下、ライブストリーミング端末のソフトウェアと称される）を用いた情報プッシュを開始し、それによって再生端末の利用者がプッシュ情報を直接取得できる。
【００２４】
例えば、本願の本実施形態において、ライブストリーミング端末装置は、携帯電話、タブレットコンピュータ、又はパーソナルコンピュータであってもよい。ライブストリーミング端末の利用者が情報プッシュを開始できるように、ネットワークライブストリーミングソフトウェアがインストールでき、ネットワーク通信を実装できる何らかの装置が、本方法の実施本体となり得る。
【００２５】
本願の本実施形態では、プッシュ情報は、ライブストリーミング端末の利用者が再生端末の利用者に対してプッシュすることを意図した小説、ニュース、興味深い画像、役に立つウェブサイト、アプリケーション又は製品であり、再生端末の利用者は、ライブストリーミング端末の利用者のプッシュに基づいてネットワーク上のプッシュ情報を取得し得る。つまり、ネットワークを用いて再生端末の利用者によって取得されることがある情報は、本方法のプッシュ情報となり得る。
【００２６】
本願の本実施形態では、プッシュ情報識別子は、プッシュ情報のアクセスアドレス又はプッシュ情報のラベルであってもよい。アクセスアドレスは、プッシュ情報があるウェブページに対応するアクセスアドレスである。アクセスアドレスは、ユニフォームリソースロケータ（ＵＲＬ）でもよく、又は、画像リンク若しくはテキストリンクなどのハイパーリンクでもよい。アクセスアドレスが画像リンクの場合、画像の内容はプッシュ情報の要約又はプッシュ情報に関連した製品画像でもよい。アクセスアドレスがテキストリンクの場合、テキストの内容はプッシュ情報の要約、テーマ、又は同種のものでもよい。要するに、アクセスアドレスはプッシュ情報があるウェブページに関連していればよい。本願は、特定の形式のアクセスアドレスに限定しない。
【００２７】
また、プッシュ情報のラベルは、予め設定されたプッシュ情報のアクセスアドレスに対応するラベルである。予め設定されたプッシュ情報は、ライブストリーミングプラットフォームサーバ、ライブストリーミング端末又は第３者サーバに保存されていることがある。
【００２８】
本願のアプリケーションシナリオでは、ライブストリーミング端末の利用者は通常、以下の２つの場合に情報を再生端末の利用者にプッシュする。１つ目は、ライブストリーミングプラットフォームサーバ（あるいは、ライブストリーミング端末又は第３者サーバでもよい）がいくつかのプッシュ情報識別子（アクセスアドレス）を記憶している場合で、２つ目は、プッシュ情報のアクセスアドレスがライブストリーミング端末の利用者によって提供される必要がある場合である。
【００２９】
上述の第１の場合において、いくつかのプッシュ情報識別子を保存するライブストリーミングプラットフォームサーバを例にあげる。ライブストリーミング端末のソフトウェアは、利用者によって送信され、受信したプッシュ情報提示命令に従って、プッシュ情報のアクセスアドレス一覧又はプッシュ情報のラベル一覧をライブストリーミングプラットフォームサーバからダウンロードし、アドレス一覧又はラベル一覧を提示する。ライブストリーミング端末の利用者がプッシュを意図するプッシュ情報のアクセスアドレス又はラベルを一覧から直接選択してもよいが、ライブストリーミング端末のソフトウェアに提供された検索フィールドにキーワードを入力し、そして、検索結果の一覧からプッシュする情報のアクセスアドレス又はラベルを選択し、選択されたアクセスアドレス又はラベルをプッシュ情報識別子として使用してプッシュ情報識別子をライブストリーミングプラットフォームサーバに送信してもよい。
【００３０】
ライブストリーミング端末の利用者が一覧からプッシュする情報のラベルを選択すると、ライブストリーミング端末は選択されたラベルをプッシュ情報識別子として用いて、プッシュ情報識別子をライブストリーミングプラットフォームサーバに送信する。ラベルに基づいて、対応するプッシュ情報のアクセスアドレスを決定した後、ライブストリーミングプラットフォームサーバはアクセスアドレスを再生端末にプッシュする。
【００３１】
さらに、ライブストリーミング端末の利用者によって選択されたラベルがライブストリーミングプラットフォームサーバの２つ以上のアクセスアドレスに対応する場合、ライブストリーミングプラットフォームサーバは決定したアクセスアドレスをライブストリーミング端末に戻し、ライブストリーミング端末はライブストリーミング端末の利用者が選択できるようにアクセスアドレスを提示する。ライブストリーミング端末はライブストリーミング端末の利用者によって選択されたアクセスアドレスを最終的なプッシュ情報識別子として用いて、最終的なプッシュ情報識別子をライブストリーミングプラットフォームサーバに送信する。ライブストリーミングプラットフォームサーバは、プッシュ情報のアクセスアドレスを再生端末にプッシュする。
【００３２】
当然のことながら、上述の第１の場合には、予め設定されたプッシュ情報のアクセスアドレスはローカル（つまり、ライブストリーミング端末）に保存されているか、又は、第３者サーバに保存されていてもよい。この場合、ライブストリーミング端末の利用者によって送信されたプッシュ情報提示命令に従って、上述のアクセスアドレス一覧又はラベル一覧が、対応するライブストリーミング端末にロードされ、提示されるか、プッシュ情報提示命令に従って、第３者サーバからライブストリーミング端末にダウンロード又は提示される。ただし、ライブストリーミング端末の利用者によって一覧から選択されたアクセスアドレス又はラベルは、プッシュ情報識別子として用いられるためにライブストリーミング端末からライブストリーミングプラットフォームサーバに送信される必要がある。
【００３３】
同様に、ライブストリーミング端末の利用者によって選択されたラベルがローカル又は第３者サーバの２つ以上のアクセスアドレスに対応する場合、再生端末は選択のためにラベルに対応するアクセスアドレスを更に表示する、又は、第３者サーバが受信したラベルに基づいてアクセスアドレスを戻す。詳細は重複するため省略する。
【００３４】
上述の第２の場合では、ライブストリーミング端末の利用者は、ライブストリーミング端末のソフトウェアによって提供されたプッシュ情報のアクセスアドレス入力領域に、アクセスアドレスを入力してもよく、ライブストリーミング端末はアクセスアドレスをプッシュ情報識別子として用いて、このプッシュ情報識別子をライブストリーミングプラットフォームサーバに送信する。そして、ライブストリーミングプラットフォームサーバは、プッシュ情報識別子を再生端末にプッシュする。
【００３５】
Ｓ１０２：ライブストリーミングプラットフォームサーバは、ライブストリーミング端末によって送信されたプッシュ情報識別子を受信し、プッシュ情報識別子に基づいてプッシュ情報のアクセスアドレスを決定する。
【００３６】
本願の本実施形態では、ステップＳ１０１に記載するように、プッシュ情報識別子はアクセスアドレス、又は、プッシュ情報のラベルでもよい。プッシュ情報識別子がプッシュ情報のアクセスアドレスの場合、ライブストリーミングプラットフォームサーバは受信したアクセスアドレスを、プッシュする情報のアクセスアドレスとして直接決定してもよい。あるいは、ライブストリーミングプラットフォームサーバによって受信されるアクセスアドレスは、受信したプッシュ情報のラベルに基づいてライブストリーミングプラットフォームサーバから戻されたアクセスアドレスから、ライブストリーミング端末の利用者によって事前に選択されたアクセスアドレスでもよい。プッシュ情報識別子がプッシュ情報のラベルの場合、ライブストリーミングプラットフォームサーバは、受信したプッシュ情報のラベルに基づいてラベルに対応するアクセスアドレスを決定する。
【００３７】
Ｓ１０３：ライブストリーミングプラットフォームサーバは、アクセスアドレスを再生端末にプッシュし、再生端末はアクセスアドレスを提示する。
【００３８】
本願の本実施形態では、ステップＳ１０１に記載されるように、アクセスアドレスはＵＲＬアドレスでもよく、又は、画像リンク若しくはテキストリンクでもよい。再生端末はアクセスアドレスを再生端末の直接インターフェースの再生領域に提示することがある。ただし、提示領域は、ライブストリーミングを視聴する再生端末の利用者の邪魔にならない大きさとする。例えば、アクセスアドレスは再生領域の一部を静的に被覆するように構成されてもよく、又は、アクセスアドレスは再生領域内で動的に浮動できてもよい。要するに、再生端末の利用者がアクセスアドレスを容易にトリガーするのを可能にするアクセスアドレス提示様式はいかなるものでも、本願の特許請求の保護範囲にある。
【００３９】
再生端末の利用者がアクセスアドレスを容易にトリガーするのを可能にするため、アクセスアドレスの提示様式は動画フレームの提示様式とは独立していることが要求される。例えば、通常、再生端末の利用者は、再生領域をトリガーすることで全画面モードとウインドウモードとを切り替えることができる。アクセスアドレスと動画フレームが組み合わされると、再生端末は利用者のトリガー操作が全画面モードとウインドウモードとの切り替えか、プッシュ情報の視聴かを判断できない。そこで、本願の本実施形態では、再生端末はライブストリーミングインターフェースの再生領域内に、再生領域とは独立した視聴レイヤーを構築し、視聴レイヤーにアクセスアドレスを提示してもよい。
【００４０】
図２は、本願の実施形態に係わるプッシュ情報の画像リンク表示の概略図である。図２に示すように、再生端末の利用者のインターフェースにおいて、画像リンクは独立した視聴レイヤーに表示される。画像リンクの内容はテキスト「小説『ＦＬＯＷＥＲ』」及び花の画像である。これは、プッシュ情報の内容が『ＦＬＯＷＥＲ』という名称の小説であることを示唆する。さらに、閉じるボタンが、独立した視聴レイヤーの右上角に配置されている。再生端末の利用者がプッシュ情報に興味がない場合、再生端末の利用者はプッシュ情報を手動で閉じることができる。
【００４１】
Ｓ１０４：再生端末は、アクセスアドレスが再生端末の利用者によってトリガーされたことを検出すると、アクセスアドレスに対応するウェブページを表示する。
【００４２】
本願の本実施形態で、再生端末の利用者は、マウスのシングルクリック、マウスのダブルクリック、マウスの右クリック、指によるクリック、装置を振る、又は同種の方法でアクセスアドレスをトリガーしてもよく、これによって、再生端末は再生端末の利用者がプッシュ情報を取得する意図があることを検出する。
【００４３】
本願の本実施形態で、ウェブページ閲覧機能は再生端末のネットワークライブストリーミングソフトウェアに内蔵されてもよく、アクセスアドレスに対応するウェブページが再生端末に直接ロードされるか、第３者ブラウザを呼び出すことで、アクセスアドレスに対応するウェブページがロードされてもよい。
【００４４】
加えて、本願の本アプリケーションシナリオでは、配信者別（つまり、ライブストリーミング端末の利用者）のプッシュ情報の促進度に関する統計を収集するため、各配信者によってプッシュされた各情報のアクセス状態を記録することが求められる。アクセスレコードは、ある配信者から再生端末にプッシュされる情報が再生端末の利用者によってアクセスされる総数を示してもよい。
【００４５】
つまり、本願の本実施形態では、アクセスアドレスが再生端末の利用者によってトリガーされたのを検出すると、再生端末はライブストリーミング工程に対応するライブストリーミング端末の利用者の識別子を決定し、ライブストリーミング端末の利用者の識別子とプッシュ情報のアクセスアドレスとを含むアクセス通知をライブストリーミングプラットフォームサーバに送信する。これによって、ライブストリーミングプラットフォームサーバは、受信したアクセス通知に含まれるライブストリーミング端末の利用者の識別子とプッシュ情報のアクセスアドレスに基づいて、ライブストリーミング端末の利用者の識別子とプッシュ情報のアクセスアドレスとの関連を記録することができる。
【００４６】
例えば、ライブストリーミング工程で、ライブストリーミング端末の利用者が情報を再生端末の利用者にプッシュし、再生端末がプッシュ情報のアクセスアドレスが一度トリガーされたことを検出すると、再生端末はライブストリーミングプラットフォームサーバに通知し、ライブストリーミングプラットフォームサーバはライブストリーミング端末の利用者の識別子とプッシュ情報との関連レコードを１つ追加する。図２を一例として用いる。今回のトリガー前のレコードを「Ｎａｎａ‐小説『ＦＬＯＷＥＲ』−１２」とする。「Ｎａｎａ」はライブストリーミング端末の利用者の識別子、「小説『ＦＬＯＷＥＲ』」はプッシュ情報の画像リンク、「１２」は、「小説『ＦＬＯＷＥＲ』」が「Ｎａｎａ」によってプッシュされた後で、小説があるウェブページがＮａｎａのライブストリーミングを視聴する再生端末の利用者によってアクセスされた総数である。再生端末が「小説『ＦＬＯＷＥＲ』」に関連する画像リンクが再びトリガーされたことを検出した後で、再生端末は、アクセス通知をライブストリーミングプラットフォームサーバに送信し、ライブストリーミングプラットフォームサーバはレコードを具体的には「Ｎａｎａ−小説『ＦＬＯＷＥＲ』−１３」に変換し、関連レコードを１つ追加する。
【００４７】
さらに、予め設定されたプッシュ情報識別子が第３者サーバに保存される場合、ライブストリーミングプラットフォームサーバは更にライブストリーミングプラットフォームサーバに記録された関連レコードとライブストリーミングプラットフォームサーバのライブストリーミングプラットフォーム識別子を第３者サーバに送信してもよい。それによって、第３者サーバはライブストリーミングプラットフォームに保存された関連レコードを取得することができる。
【００４８】
図１に示される方法によると、ライブストリーミング端末の利用者によって発行されたプッシュ情報のアクセスアドレスは再生端末の利用者のインターフェースで表示され、再生端末の利用者はアクセスアドレスをクリックすることでプッシュ情報を直接取得でき、これによって、再生端末の利用者によるプッシュ情報の取得の利便性が改善される。
【００４９】
加えて、実際のアプリケーションでは、図１に示された方法は、図３に示されるように更に製品情報をプッシュするために用いられてもよい。
図３は、本願の実施形態に係わる別の情報プッシュ方法のフロー図である。この方法は以下のステップを含む。
【００５０】
Ｓ３０１：ライブストリーミング端末は、ライブストリーミング工程で、ライブストリーミング端末の利用者によって入力された製品識別子を受信し、製品識別子をライブストリーミングプラットフォームサーバに送信する。
【００５１】
Ｓ３０２：ライブストリーミングプラットフォームサーバは、ライブストリーミング端末によって送信された製品識別子を受信し、製品識別子に基づいて製品の購入アドレスを決定する。
【００５２】
Ｓ３０３：ライブストリーミングプラットフォームサーバは、購入アドレスを再生端末にプッシュし、再生端末は購入アドレスを提示する。
【００５３】
Ｓ３０４：再生端末は、購入アドレスが再生端末の利用者によってトリガーされたことを検出すると、購入アドレスに対応するウェブページを表示する。
【００５４】
図３に示される方法の手順は、図１に示される方法の手順と類似している。詳細は重複するため省略する。
【００５５】
さらに、本願の本実施形態で、予め設定された製品識別子が第３者サーバに保存される場合、第３者サーバは第３者ショッピングプラットフォームのサーバであってもよい。同じ利用者の２つのプラットフォームにおける利用者識別子の関連が予め構築されてもよい。この関連は、２つのプラットフォームの利用者情報が同じ携帯番号、ｅメールアドレス、又は同種のものを基にしているということでもよい。
【００５６】
このように、ライブストリーミング端末の利用者が第３者ショッピングプラットフォームの製品を購入した場合、第３者サーバは購入レコードを記録する。ライブストリーミング端末の利用者が製品を再生端末の利用者にプッシュしようとする場合、ライブストリーミング端末は第３者サーバから、ライブストリーミング端末の利用者が購入した製品の製品識別子一覧をダウンロードし、一覧を提示する。これによって、ライブストリーミング端末の利用者はライブストリーミング端末の利用者がプッシュする製品の製品識別子を選択できる。製品識別子一覧は、ライブストリーミング端末の利用者が購入した製品の購入アドレスの一覧であってもよく、又は、ライブストリーミング端末の利用者が購入した製品のラベルの一覧であってもよい。また、ライブストリーミング端末の利用者は、ライブストリーミング端末のソフトウェアによって提供された検索ボックス内にキーワードを入力し、検索結果の製品識別子一覧から購入アドレス又は製品のラベルを選択してもよい。
【００５７】
本願の本実施形態で、製品の購入アドレスに対応するウェブページは製品詳細のウェブページでもよく、再生端末の利用者は製品のパラメータ情報及び価格を視聴でき、満足すればクリックして購入してもよい。あるいは、ウェブページは、再生端末の利用者が購入のためにオンラインで直接支払うことができる製品の支払いインターフェースでもよい。
【００５８】
本願の本実施形態で、図１に示される方法と同様に、ライブストリーミングプラットフォームのサービスプロバイダは、同じ方法を使用して製品詳細のウェブページのアクセス状態又は各配信者によってプッシュされる各製品の支払いインターフェースを記録してもよい。加えて、製品に対する各配信者による促進度をより厳密に分析するため、ライブストリーミングプラットフォームのサービスプロバイダは、各配信者によって再生端末の利用者に対して促された製品が、再生端末の利用者によって最終的に購入された総数に関する統計を更に収集してもよい。
【００５９】
つまり、再生端末は再生端末の利用者が製品を購入するかを検出できる。再生端末が、再生端末の利用者が表示されたウェブページを用いて支払いを行うのを検出すると、再生端末は、ライブストリーミング端末の利用者の識別子と製品の購入アドレスとを含む支払い通知をライブストリーミングプラットフォームサーバに送信する。これによって、ライブストリーミングプラットフォームサーバは、支払い通知に含まれるライブストリーミング端末の利用者の識別子と製品の購入アドレスに基づいて、ライブストリーミング端末の利用者の識別子と製品の購入アドレスとの関連を記録することができる。
【００６０】
例えば、Ｓ１０４の例をあげる。再生端末の利用者が、ライブストリーミング端末の利用者「Ｎａｎａ」によってプッシュされた小説『ＦＬＯＷＥＲ』を購入し支払いを行った後で、再生端末は、ライブストリーミングプラットフォームサーバに通知を行う。ライブストリーミングプラットフォームサーバは、ライブストリーミング端末の利用者の識別子とプッシュ情報とのトランザクション関連レコードを１つ追加する。例えば、この支払い前のレコードが「Ｎａｎａ‐小説『ＦＬＯＷＥＲ‐ｄｅａｌ３」』で、ｄｅａｌ３はトランザクション成功履歴の回数とする。ライブストリーミングプラットフォームサーバが支払い通知を受信すると、レコードは「Ｎａｎａ‐小説『ＦＬＯＷＥＲ‐ｄｅａｌ４』」に変更される。
【００６１】
さらに、予め設定された製品識別子が第３者サーバに保存されると、ライブストリーミングプラットフォームサーバは、第３者サーバに対して、ライブストリーミングプラットフォームサーバに記憶されている関連レコードとトランザクション関連レコード、及び、ライブストリーミングプラットフォームサーバのライブストリーミングプラットフォーム識別子を更に送信してもよい。これによって、第３者サーバはライブストリーミングプラットフォームに記憶された関連レコード及びトランザクション関連レコードを取得することができる。
【００６２】
図４は、本願の実施形態に係わる情報プッシュ装置の概略図である。装置は、ライブストリーミング工程において、ライブストリーミング端末の利用者によって入力されたプッシュ情報識別子を受信するよう構成された受信モジュール４０１と、プッシュ情報識別子をライブストリーミングプラットフォームサーバに送信するよう構成された送信モジュール４０２とを含む。これによって、ライブストリーミングプラットフォームサーバはプッシュ情報識別子に基づいてプッシュ情報のアクセスアドレスを決定し、アクセスアドレスを提示のために再生端末にプッシュし、再生端末は、アクセスアドレスが再生端末の利用者によってトリガーされたことを検出すると、アクセスアドレスに対応するウェブページを表示することができる。
【００６３】
プッシュ情報識別子は、特にプッシュ情報のラベルを含む。
【００６４】
送信モジュール４０２は、プッシュ情報のラベルをライブストリーミングプラットフォームサーバに送信する。これによって、ライブストリーミングプラットフォームサーバはラベルに基づいてラベルに対応するアクセスアドレスを決定することができる。
【００６５】
プッシュ情報識別子は、特にプッシュ情報のアクセスアドレスを含む。
【００６６】
受信モジュール４０１は、ライブストリーミング端末の利用者によって入力されたプッシュ情報のアクセスアドレスを受信し、又は、ライブストリーミング端末の利用者によって入力されたプッシュ情報のラベルを受信し、ラベルをライブストリーミングプラットフォームサーバに送信し、ライブストリーミングプラットフォームサーバによって戻された、ラベルに対応するアクセスアドレスを受信、提示し、提示されたアクセスアドレスの中から利用者によって選択されたアクセスアドレスをライブストリーミング端末の利用者によって入力されたプッシュ情報識別子として決定する。
【００６７】
受信モジュール４０１は、ライブストリーミング端末の利用者から送信されたプッシュ情報提示命令を受信し、プッシュ情報提示命令に従って、ローカルで予め保存された、ライブストリーミングプラットフォームサーバに保存された、又は第３者サーバに保存されたプッシュ情報識別子を取得、提示し、提示されたプッシュ情報識別子からライブストリーミング端末の利用者によって選択されたプッシュ情報識別子を決定する。
【００６８】
図５は、本願の実施形態に係わる情報プッシュ装置の概略図である。装置は、ライブストリーミング工程において、ライブストリーミング端末によって送信されたプッシュ情報識別子を受信するよう構成された受信モジュール５０１と、プッシュ情報識別子に基づいてプッシュ情報のアクセスアドレスを決定するよう構成された決定モジュール５０２と、及び、アクセスアドレスを提示のため再生端末にプッシュするよう構成されたプッシュモジュール５０３とを含む。これによって、再生端末は、アクセスアドレスが再生端末の利用者によってトリガーされたことを検出すると、アクセスアドレスに対応するウェブページを表示することができる。
【００６９】
プッシュ情報識別子は、特にプッシュ情報のラベルを含む。
【００７０】
決定モジュール５０２は、受信したプッシュ情報のラベル及びラベルとアクセスアドレスとの予め設定された対応に基づいて、受信したラベルに対応するアクセスアドレスを決定する。
【００７１】
プッシュ情報識別子は、特にプッシュ情報のアクセスアドレスを含む。
【００７２】
装置は、受信モジュール５０１がライブストリーミング端末によって送信されたプッシュ情報識別子を受信する前に、ライブストリーミング端末によって送信されたプッシュ情報のラベルを受信し、ラベルに対応したアクセスアドレスを提示のためライブストリーミング端末に戻すよう構成された選択モジュール５０４を更に含む。
【００７３】
受信モジュール５０１は、ライブストリーミング端末から送信され、ライブストリーミング端末の利用者によって提示されたアクセスアドレスから選択されたアクセスアドレスを、受信したプッシュ情報識別子として受信する。
【００７４】
装置は、再生端末によって送信されたアクセス通知を受信すると、アクセス通知に含まれたライブストリーミング端末の利用者の識別子及びプッシュ情報のアクセスアドレスに基づいて、ライブストリーミング端末の利用者の識別子とプッシュ情報のアクセスアドレスとの関連を記録するよう構成されたアクセス記録モジュール５０５を更に含む。アクセス通知が送信されるのは、再生端末が、アクセスアドレスが再生端末の利用者によってトリガーされたことを検出したときである。
【００７５】
図６は、本願の実施形態に係わる情報プッシュ装置の概略図である。装置は、ライブストリーミング工程において、ライブストリーミングプラットフォームサーバによって送信されたプッシュ情報のアクセスアドレスを受信するよう構成された受信モジュール６０１と、受信したアクセスアドレスを提示するよう構成された提示モジュール６０２と、及び、アクセスアドレスが再生端末の利用者によってトリガーされたのを検出すると、アクセスアドレスに対応するウェブページを表示するよう構成された表示モジュール６０３とを含む。
【００７６】
提示モジュール６０２は、ライブストリーミングインターフェースの再生領域に、再生領域とは独立した視聴レイヤーを構築し、視聴レイヤーに受信したアクセスアドレスを提示する。
【００７７】
装置は、アクセスアドレスが再生端末の利用者によってトリガーされたことを検出すると、ライブストリーミング工程に対応するライブストリーミング端末の利用者の識別子を決定し、ライブストリーミング端末の利用者識別子とプッシュ情報のアクセスアドレスとを含むアクセス通知をライブストリーミングプラットフォームサーバに送信するよう構成されたアクセス通知モジュール６０４を更に含む。これによって、ライブストリーミングプラットフォームサーバは、ライブストリーミング端末の利用者識別子とプッシュ情報のアクセスアドレスとの関連を記録することができる。
【００７８】
図７は、本願の実施形態に係わる情報プッシュ装置の概略図である。装置は、ライブストリーミング工程において、ライブストリーミング端末の利用者によって入力された製品識別子を受信するよう構成された受信モジュール７０１と、製品識別子をライブストリーミングプラットフォームサーバに送信するよう構成された送信モジュール７０２とを含む。これによって、ライブストリーミングプラットフォームサーバは製品識別子に基づいて製品の購入アドレスを決定し、購入アドレスを提示のために再生端末にプッシュし、再生端末は、購入アドレスが再生端末の利用者によってトリガーされたことを検出すると、購入アドレスに対応するウェブページを表示することができる。
【００７９】
製品識別子は、特に製品のラベルを含む。
【００８０】
送信モジュール７０２は、製品のラベルをライブストリーミングプラットフォームサーバに送信する。これによって、ライブストリーミングプラットフォームサーバはラベルに基づいてラベルと対応する購入アドレスを決定することができる。
【００８１】
製品識別子は特に製品の購入アドレスを含む。
【００８２】
受信モジュール７０１は、ライブストリーミング端末の利用者によって入力された製品の購入アドレスを受信するか、あるいは、ライブストリーミング端末の利用者によって入力された製品のラベルを受信し、ラベルをライブストリーミングプラットフォームサーバに送信し、ライブストリーミングプラットフォームサーバによって戻された、ラベルに対応する購入アドレスを受信して提示し、提示されたアクセスアドレスから利用者によって選択された購入アドレスを、ライブストリーミング端末の利用者によって入力された製品識別子として決定する。
【００８３】
受信モジュール７０１は、ライブストリーミング端末の利用者によって送信された製品提示命令を受信し、製品提示命令に従って、ローカルで予め保存された、ライブストリーミングプラットフォームサーバに保存された、又は第３者サーバに保存された製品識別子を取得、提示し、提示された製品識別子からライブストリーミング端末の利用者によって選択された製品識別子を決定する。
【００８４】
図８は、本願の実施形態に係わる情報プッシュ装置の概略図である。装置は、ライブストリーミング工程において、ライブストリーミング端末によって送信された製品識別子を受信するよう構成された受信モジュール８０１と、製品識別子に基づいて、製品の購入アドレスを決定するよう構成された決定モジュール８０２と、及び、購入アドレスを提示のため再生端末にプッシュするよう構成されたプッシュモジュール８０３とを含む。これによって、再生端末は、購入アドレスが再生端末の利用者によってトリガーされたことを検出すると、購入アドレスに対応するウェブページを表示することができる。
【００８５】
製品識別子は、特に製品のラベルを含む。
【００８６】
決定モジュール８０２は、受信した製品のラベル及びラベルとアクセスアドレスとの予め設定された対応に基づいて、受信したラベルに対応する購入アドレスを決定する。
【００８７】
製品識別子は、特に製品の購入アドレスを含む。
【００８８】
装置は、受信モジュール８０１がライブストリーミング端末によって送信された製品識別子を受信する前に、ライブストリーミング端末によって送信された製品のラベルを受信し、ラベルに対応する購入アドレスをライブストリーミング端末に提示のために戻すよう構成された選択モジュール８０４を含む。
【００８９】
受信モジュール８０１は、ライブストリーミング端末によって送信され、提示された購入アドレスからライブストリーミング端末の利用者によって選択された購入アドレスを、受信した製品識別子として受信する。
【００９０】
装置は、再生端末から送信されたアクセス通知を受信すると、アクセス通知に含まれたライブストリーミング端末の利用者の識別子及び製品の購入アドレスに基づいて、ライブストリーミング端末の利用者の識別子と製品の購入アドレスとの関係を記録するよう構成されたアクセス記録モジュール８０５を更に含む。アクセス通知が送信されるのは、再生端末が、再生端末の利用者によって購入アドレスがトリガーされたことを検出したときである。
【００９１】
装置は、再生端末によって送信された支払い通知を受信すると、支払い通知に含まれたライブストリーミング端末の利用者の識別子及び製品の購入アドレスに基づいて、ライブストリーミング端末の利用者の識別子と製品の購入アドレスとのトランザクション関連を記録するよう構成されたトランザクション記録モジュール８０６を更に含む。支払い通知が送信されるのは、再生端末が再生端末の利用者の支払いを検出した後である。
【００９２】
図９は、本願の実施形態に係わる情報プッシュ装置の概略図である。装置は、ライブストリーミング工程において、ライブストリーミングプラットフォームサーバによって送信された製品の購入アドレスを受信するよう構成された受信モジュール９０１と、受信した購入アドレスを提示するよう構成された提示モジュール９０２と、及び、購入アドレスが再生端末の利用者によってトリガーされたことを検出すると、購入アドレスに対応するウェブページを表示するよう構成された表示モジュール９０３とを含む。
【００９３】
提示モジュール９０２は、ライブストリーミングインターフェースの再生領域に、再生領域とは独立した視聴レイヤーを構築し、視聴レイヤーに受信した購入アドレスを提示する。
【００９４】
装置は、購入アドレスが再生端末の利用者によってトリガーされたのを検出すると、ライブストリーミング工程に対応するライブストリーミング端末の利用者の識別子を決定し、ライブストリーミング端末の利用者の識別子と製品の購入アドレスとを含むアクセス通知をライブストリーミングプラットフォームサーバに送信するよう構成されたアクセス通知モジュール９０４を更に含む。これによって、ライブストリーミングプラットフォームサーバは、ライブストリーミング端末の利用者の識別子と製品の購入アドレスとの関連を記録することができる。
【００９５】
購入アドレスに対応するウェブページは、お勧め製品の詳細のインターフェース又はお勧め製品の支払いウェブページを特に含む。
【００９６】
装置は、表示モジュールが購入アドレスに対応するウェブページを表示した後、そして、再生端末の利用者の支払いが決定された後で、ライブストリーミングプラットフォームサーバに対して、ライブストリーミング端末の利用者の識別子と製品の購入アドレスとを含む支払い通知を送信するよう構成された支払い通知モジュール９０５を更に含む。これによって、ライブストリーミングプラットフォームサーバは、ライブストリーミング端末の利用者の識別子と製品の購入アドレスとの関連を記録することができる。
【００９７】
当業者には、本発明の実施形態が方法、システム、又はコンピュータプログラム製品として提供され得ることが理解される。したがって、本発明は、全てがハードウェアの実施形態、全てがソフトウェアの実施形態、又はソフトウェアとハードウェアを組み合わせた実施形態の形式を用いることができる。加えて、本発明は、コンピュータで使用可能なプログラムコードを含む一つ以上のコンピュータで使用可能な記憶媒体（ディスクメモリ、Ｃｏｍｐａｃｔ  Ｄｉｓｃ  Ｒｅａｄ−Ｏｎｌｙ  Ｍｅｍｏｒｙ（ＣＤ−ＲＯＭ）、光メモリなどを含むがこれらに限られない）で実装されるコンピュータプログラム製品の形式を用いることができる。
【００９８】
本発明は、本発明の実施形態に係わる本方法、装置（システム）、及びコンピュータプログラム製品のフロー図及び／又はブロック図を参照して記載されている。フロー図及び／又はブロック図の各工程及び／又は各ブロック、及び、フロー図及び／又はブロック図の工程及び／又はブロックの組み合わせを実施するのに、コンピュータプログラム命令が用いられ得ることが理解される。コンピュータ又は他の何らかのプログラム可能なデータ処理装置によって実行される命令が、フロー図の一つ以上の工程及び／又はブロック図の一つ以上のブロックの特定の機能を実施する装置を生成するように、これらコンピュータプログラム命令は、一般的な用途のコンピュータ、専用コンピュータ、内蔵プロセッサ、機械を生成する他のプログラム可能なデータ処理装置のプロセッサに提供されてもよい。
【００９９】
これらのコンピュータプログラム命令は、コンピュータ又はその他の何らかのプログラム可能なデータ処理装置に特定の様式で稼動するよう命令できるコンピュータ判読可能なメモリに更に記憶され、コンピュータ判読可能なメモリに記憶された命令が指示装置を含む人工物を生成できてもよい。指示装置はフロー図の一つ以上の工程及び／又はブロック図の一つ以上のブロックの特定の機能を実施する。
【０１００】
これらコンピュータプログラムの命令は、コンピュータ又は他のプログラム可能なデータ処理装置に更にロードされてもよく、それによって一連の動作や工程がコンピュータ又は他のプログラム可能な装置で実行され、コンピュータで実行された処理が生成される。したがって、コンピュータ又は他のプログラム可能な装置で実行される命令は、フロー図の一つ以上の工程及び／又はブロック図の一つ以上のブロックの特定機能を実施するステップを提供する。
【０１０１】
典型的な構成では、コンピュータ装置は一つ以上のプロセッサ（ＣＰＵ）、入出力インターフェース、ネットワークインターフェース及びメモリを含む。
【０１０２】
メモリは、揮発性メモリ、ランダムアクセスメモリ（ＲＡＭ）、及び／又は、例えばリードオンリーメモリ（ＲＯＭ）又はフラッシュメモリ（フラッシュＲＡＭ）などのコンピュータ判読可能な媒体中の不揮発性メモリなどの形式を含み得る。メモリはコンピュータ判読可能な媒体の一例である。
【０１０３】
コンピュータ判読可能な媒体は、情報の記憶に用いられるいずれかの方法又は技術を用いて実装される不揮発性及び揮発性媒体、リムーバブル及びノンリムーバブルメディアを含む。情報は、コンピュータ判読可能な命令、データ構造、プログラムモジュール又はその他のデータであってもよい。コンピュータ記憶媒体の例は、相変化メモリ（ＰＲＡＭ）、スタティックランダムアクセスメモリ（ＳＲＡＭ）、ダイナミックランダムアクセスメモリ（ＤＲＡＭ）、他の種類のＲＡＭ、ＲＯＭ、電気的消去可能プログラマブル読み出し専用メモリ（ＥＥＰＲＯＭ）、フラッシュメモリ若しくは他のメモリ技術、ＣＤ‐ＲＯＭ、デジタル多用途ディスク（ＤＶＤ）若しくは他の光学メモリ、カセット、磁気テープ、磁気ディスクメモリ又は他の磁気記憶装置、又は他の任意の非伝送媒体を非限定的に含み、コンピュータ装置からアクセス可能な情報を記憶するために用いられることがある。本明細書の定義によると、コンピュータ判読可能な媒体は、変調したデータ信号や搬送波などの一時的なコンピュータ判読可能な媒体（一時的媒体）を含まない。
【０１０４】
また、「含む」、「備える」という用語やその他の変化形は、非排他的な含有が意図される。つまり、一連の要素を含む工程、方法、製品又は装置はそのような要素を含むのみでなく、特に明示されないその他の要素、又は、工程、方法、製品又は装置固有の要素を含むことがある。別途の制約がなく「一つの・・・を含む」という句によって定義される要素は、この要素を含む工程、方法、製品又は装置に他の同じ要素があることを排除するものではない。
【０１０５】
当業者には、本願の実施形態が方法、システム又はコンピュータプログラム製品として提供されることがあることが理解される。つまり、本願は、全てがハードウェアの実施形態、全てがソフトウェアの実施形態又はソフトウェア及びハードウェアを組み合わせた実施形態の形式を用いてもよい。加えて、本願は、コンピュータ使用可能なプログラムコードを含む一つ以上のコンピュータ使用可能な記憶媒体（ディスクメモリ、ＣＤ‐ＲＯＭ、光メモリなどを含むがそれに限られない）で実装されるコンピュータプログラム製品の形式を用いてもよい。
【０１０６】
上述の記載は本願の実施形態のみであり、本願を制限することを意図しない。当業者にとって、本願は各種変形例や変更があり得る。本願の精神と原理の範囲内の変形、均等代替物、改善、又は同種のものは、本願の特許請求の範囲にある。
【図１】
2019530931.tif 000003
【図２】
2019530931.tif 000004
【図３】
2019530931.tif 000005
【図４】
2019530931.tif 000006
【図５】
2019530931.tif 000007
【図６】
2019530931.tif 000008
【図７】
2019530931.tif 000009
【図８】
2019530931.tif 000010
【図９】
2019530931.tif 000011
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
ライブストリーミング工程において、ライブストリーミング端末の利用者によって入力されたプッシュ情報識別子をライブストリーミング端末が受信することと、及び、
前記プッシュ情報識別子をライブストリーミングプラットフォームサーバに送信することとを含み、これによって、前記ライブストリーミングプラットフォームサーバは前記プッシュ情報識別子に基づいてプッシュ情報のアクセスアドレスを決定し、前記アクセスアドレスを提示のために再生端末にプッシュし、前記再生端末は、前記アクセスアドレスが再生端末の利用者によってトリガーされたことを検出すると、前記アクセスアドレスに対応するウェブページを表示することができる情報プッシュ方法。
【請求項２】
前記プッシュ情報識別子は特に前記プッシュ情報のラベルを備え、及び
前記ライブストリーミングプラットフォームサーバが前記プッシュ情報識別子に基づいてプッシュ情報のアクセスアドレスを決定するように、前記プッシュ情報識別子をライブストリーミングプラットフォームサーバに前記送信することは、
前記プッシュ情報の前記ラベルを前記ライブストリーミングプラットフォームサーバに送信することを特に含み、これによって、前記ライブストリーミングプラットフォームサーバは前記ラベルに基づいて前記ラベルに対応するアクセスアドレスを決定することができる請求項１に記載の方法。
【請求項３】
前記プッシュ情報識別子は特に前記プッシュ情報の前記アクセスアドレスを備え、及び
ライブストリーミング端末の利用者によって入力されたプッシュ情報識別子をライブストリーミング端末によって前記受信することは、
前記ライブストリーミング端末の利用者によって入力された前記プッシュ情報の前記アクセスアドレスを前記ライブストリーミング端末によって受信すること、又は、
前記ライブストリーミング端末の利用者によって入力された前記プッシュ情報のラベルを前記ライブストリーミング端末によって受信し、前記ラベルを前記ライブストリーミングプラットフォームサーバに送信し、前記ライブストリーミングプラットフォームサーバによって戻された、前記ラベルに対応するアクセスアドレスを受信、提示し、及び、前記提示されたアクセスアドレスから前記利用者によって選択されたアクセスアドレスを、前記ライブストリーミング端末の利用者によって入力された前記プッシュ情報識別子として決定することを特に含む請求項１に記載の方法。
【請求項４】
ライブストリーミング端末の利用者によって入力されたプッシュ情報識別子をライブストリーミング端末によって前記受信することは、
前記ライブストリーミング端末の利用者によって送信されたプッシュ情報提示命令を前記ライブストリーミング端末によって受信することと、
前記プッシュ情報提示命令に従って、ローカルで予め保存された、前記ライブストリーミングプラットフォームサーバに保存された、又は第３者サーバに保存されたプッシュ情報識別子を取得、提示することと、及び
前記提示されたプッシュ情報識別子から前記ライブストリーミング端末の利用者によって選択されたプッシュ情報識別子を決定することとを特に含む請求項１に記載の方法。
【請求項５】
ライブストリーミング工程において、ライブストリーミング端末によって送信されたプッシュ情報識別子をライブストリーミングプラットフォームサーバが受信することと、
前記プッシュ情報識別子に基づいて、プッシュ情報のアクセスアドレスを決定することと、及び
前記アクセスアドレスを提示のために再生端末にプッシュすることとを含み、これによって、前記再生端末が、前記アクセスアドレスが再生端末の利用者によってトリガーされたことを検出すると、前記アクセスアドレスに対応するウェブページを表示することができる情報プッシュ方法。
【請求項６】
前記プッシュ情報識別子は特に前記プッシュ情報のラベルを備え、及び、
前記プッシュ情報識別子に基づいて、プッシュ情報のアクセスアドレスを前記決定することは、
前記受信したプッシュ情報のラベル及びラベルとアクセスアドレスとの予め設定された対応に基づき、前記受信したラベルに対応するアクセスアドレスを決定することを特に含む請求項５に記載の方法。
【請求項７】
前記プッシュ情報識別子は特に前記プッシュ情報の前記アクセスアドレスを備え、
ライブストリーミング端末によって送信されたプッシュ情報識別子の前記受信前に、前記方法は、
前記ライブストリーミング端末によって送信された前記プッシュ情報のラベルを受信することと、及び
前記ラベルに対応するアクセスアドレスを前記ライブストリーミング端末に提示のために戻すこととを更に含み、及び、
ライブストリーミング端末によって送信されたプッシュ情報識別子を前記受信することは、
前記ライブストリーミング端末によって送信され、前記提示されたアクセスアドレスからライブストリーミング端末の利用者によって選択されたアクセスアドレスを、前記受信したプッシュ情報識別子として受信することを特に含む請求項５に記載の方法。
【請求項８】
前記方法は、
前記再生端末によって送信されたアクセス通知を受信すると、前記アクセス通知に含まれたライブストリーミング端末の利用者の識別子及び前記プッシュ情報のアクセスアドレスに基づいて、前記ライブストリーミング端末の利用者の識別子と前記プッシュ情報の前記アクセスアドレスとの関連を記録することを更に含み、前記アクセス通知が送信されるのは、前記再生端末が、前記アクセスアドレスが前記再生端末の利用者によってトリガーされたことを検出したときである請求項５に記載の方法。
【請求項９】
ライブストリーミング工程において、ライブストリーミングプラットフォームサーバによって送信されたプッシュ情報のアクセスアドレスを再生端末によって受信することと、
前記受信したアクセスアドレスを提示することと、及び、
前記アクセスアドレスが再生端末の利用者によってトリガーされたのを検出すると、前記アクセスアドレスに対応するウェブページを表示することとを含む情報プッシュ方法。
【請求項１０】
前記受信したアクセスアドレスを前記提示することは、
ライブストリーミングインターフェースの再生領域において、前記再生領域とは独立した視聴レイヤーを構築することと、及び、
前記視聴レイヤーに前記受信したアクセスアドレスを提示することとを特に含む請求項９に記載の方法。
【請求項１１】
前記アクセスアドレスが前記再生端末の利用者によってトリガーされたのを検出する際に、前記方法は、
前記ライブストリーミング工程に対応するライブストリーミング端末の利用者の識別子を決定することと、及び、
前記ライブストリーミング端末の利用者の識別子と前記プッシュ情報の前記アクセスアドレスとを含むアクセス通知を前記ライブストリーミングプラットフォームサーバに送信することとを更に含み、これによって、前記ライブストリーミングプラットフォームサーバは前記ライブストリーミング端末の利用者の識別子と前記プッシュ情報の前記アクセスアドレスとの関連を記録することができる請求項９に記載の方法。
【請求項１２】
ライブストリーミング工程において、ライブストリーミング端末の利用者によって入力された製品識別子をライブストリーミング端末によって受信することと、及び
前記製品識別子をライブストリーミングプラットフォームサーバに送信することとを含み、これによって、前記ライブストリーミングプラットフォームサーバは前記製品識別子に基づいて製品の購入アドレスを決定し、前記購入アドレスを提示のために再生端末にプッシュし、前記再生端末は、前記購入アドレスが再生端末の利用者によってトリガーされたことを検出すると、前記購入アドレスに対応するウェブページを表示することができる情報プッシュ方法。
【請求項１３】
ライブストリーミング工程において、ライブストリーミング端末によって送信された製品識別子をライブストリーミングプラットフォームサーバによって受信することと、
前記製品識別子に基づいて、製品の購入アドレスを決定することと、及び、
前記購入アドレスを提示のため再生端末にプッシュすることとを含み、これによって、前記再生端末は、前記購入アドレスが再生端末の利用者によってトリガーされたことを検出すると、前記購入アドレスに対応するウェブページを表示することができる、情報プッシュ方法。
【請求項１４】
ライブストリーミング工程において、ライブストリーミングプラットフォームサーバによって送信された製品の購入アドレスを再生端末によって受信することと、
前記受信した購入アドレスを提示することと、及び、
前記購入アドレスが再生端末の利用者によってトリガーされたことを検出すると、前記購入アドレスに対応するウェブページを表示することとを含む情報プッシュ方法。
【請求項１５】
ライブストリーミング工程において、ライブストリーミング端末の利用者によって入力されたプッシュ情報識別子を受信するよう構成された受信モジュールと、及び、
前記プッシュ情報識別子をライブストリーミングプラットフォームサーバに送信するように構成された送信モジュールとを備え、これによって、前記ライブストリーミングプラットフォームサーバは前記プッシュ情報識別子に基づいてプッシュ情報のアクセスアドレスを決定し、前記アクセスアドレスを提示のために再生端末にプッシュし、前記再生端末は、前記アクセスアドレスが再生端末の利用者によってトリガーされたことを検出すると、前記アクセスアドレスに対応するウェブページを表示することができる情報プッシュ装置。
【請求項１６】
ライブストリーミング工程において、ライブストリーミング端末によって送信されたプッシュ情報識別子を受信するよう構成された受信モジュールと、
前記プッシュ情報識別子に基づいて、プッシュ情報のアクセスアドレスを決定するよう構成された決定モジュールと、及び、
前記アクセスアドレスを再生端末に提示のためにプッシュするよう構成されたプッシュモジュールとを備え、これによって、前記再生端末は、前記アクセスアドレスが再生端末の利用者によってトリガーされたことを検出すると、前記アクセスアドレスに対応するウェブページを表示することができる情報プッシュ装置。
【請求項１７】
ライブストリーミング工程において、ライブストリーミングプラットフォームサーバによって送信されたプッシュ情報のアクセスアドレスを受信するよう構成された受信モジュールと、
前記受信したアクセスアドレスを提示するよう構成された提示モジュールと、及び、
前記アクセスアドレスが再生端末の利用者によってトリガーされたのを検出すると、前記アクセスアドレスに対応するウェブページを表示するように構成された表示モジュールとを備える、情報プッシュ装置。
【請求項１８】
ライブストリーミング工程において、ライブストリーミング端末の利用者によって入力された製品識別子を受信するよう構成された受信モジュールと、及び
前記製品識別子をライブストリーミングプラットフォームサーバに送信するよう構成された送信モジュールとを備え、これによって、前記ライブストリーミングプラットフォームサーバは前記製品識別子に基づいて製品の購入アドレスを決定し、前記購入アドレスを提示のために再生端末にプッシュし、前記再生端末は、前記購入アドレスが再生端末の利用者によってトリガーされたことを検出すると、前記購入アドレスに対応するウェブページを表示できる情報プッシュ装置。
【請求項１９】
ライブストリーミング工程において、ライブストリーミング端末によって送信された製品識別子を受信するよう構成された受信モジュールと、
前記製品識別子に基づいて、製品の購入アドレスを決定するよう構成された決定モジュールと、及び、
前記購入アドレスを提示のため再生端末にプッシュするよう構成されたプッシュモジュールとを備え、これによって、前記再生端末が、前記購入アドレスが再生端末の利用者によってトリガーされたことを検出すると、前記購入アドレスに対応するウェブページを表示することができる情報プッシュ装置。
【請求項２０】
ライブストリーミング工程において、ライブストリーミングプラットフォームサーバによって送信された製品の購入アドレスを受信するよう構成された受信モジュールと、
前記受信した購入アドレスを提示するよう構成された提示モジュールと、及び、
前記購入アドレスが再生端末の利用者によってトリガーされたことを検出すると、前記購入アドレスに対応するウェブページを表示するよう構成された表示モジュールとを備える、情報プッシュ装置。
【国際調査報告】
2019530931.tif 000012
2019530931.tif 000013
2019530931.tif 000014
2019530931.tif 000015